(57)【要約】【課題】作業灯を落下物等から保護し、かつ、オペレータの前方視界を大きく確保する。【解決手段】ブーム中間部材２３の左側面板２３Ｃに、凹窪部２５と保護カバー２６とからなる作業灯収容部２４を一体成形し、凹窪部２５内に配置した作業灯２７を保護カバー２６によって覆う構成とする。これにより、作業灯２７を落下物等から確実に保護することができる。また、作業灯２７を凹窪部２５内に配置した分、保護カバー２６の左側面板２３Ｃの表面からの突出寸法Ｂを小さく抑え、オペレータの前方視界を大きく確保することができる。さらに、ブーム１２とは別部材からなる保護カバーを不要にできるので、部品点数を削減することができ、かつ、別部材からなる保護カバーをブームに取付けるためのボルト締め作業、溶接作業等を不要にでき、ブーム１２の製造コストを低減することができる。【選択図】　　　　図５
2004143853.tif 000002
【特許請求の範囲】
【請求項１】
建設機械の車体に取付けられブームシリンダによって俯仰動するブームと、該ブームの先端側に取付けられアームシリンダによって俯仰動するアームと、該アームの先端側に取付けられ作業具シリンダによって回動する作業具と、該作業具の周囲を照らすため前記ブームに設けられた作業灯とを備えてなる建設機械の作業装置において、
前記ブームは、長さ方向の中間に位置するブーム中間部材と、該ブーム中間部材とは別の中空部材からなり当該ブーム中間部材の基端側と先端側とにそれぞれ固着されたブロック体とにより構成し、
前記ブーム中間部材は、鋳鋼または鋳鉄を用いた鋳造手段により、前記作業灯を収容する作業灯収容部を含めて上面，下面，左側面及び右側面を有する角筒状に一体成形する構成としたことを特徴とする建設機械の作業装置。
【請求項２】
前記ブーム中間部材には、前記作業灯収容部の他に前記ブームシリンダが取付けられるブームシリンダ取付部と、前記アームシリンダが取付けられるアームシリンダ取付部も鋳造手段によって一体成形する構成としてなる請求項１に記載の建設機械の作業装置。
【請求項３】
前記作業灯収容部は、前記ブーム中間部材の左側面、右側面、下面のうち少なくとも一の面に設けられ、前記ブーム中間部材の内側に窪み前記作業灯が配置される凹窪部と、該凹窪部内に配置された作業灯を覆う保護カバーとにより構成してなる請求項１または２に記載の建設機械の作業装置。
【発明の詳細な説明】
【０００１】
【発明の属する技術分野】
本発明は、例えば油圧ショベル等の建設機械に設けられ掘削作業等を行う建設機械の作業装置に関する。
【０００２】
【従来の技術】
一般に、建設機械としての油圧ショベルの車体は、自走可能な下部走行体と、該下部走行体上に旋回可能に搭載された上部旋回体とにより大略構成され、該上部旋回体の前部側には、土砂等の掘削作業を行う作業装置が俯仰動可能に設けられている。
【０００３】
そして、油圧ショベルの作業装置は、上部旋回体に取付けられブームシリンダによって俯仰動するブームと、該ブームの先端側に取付けられアームシリンダによって俯仰動するアームと、該アームの先端側に取付けられバケットシリンダによって回動するバケット（作業具）とにより大略構成されている。そして、ブームには、夜間作業時等においてバケットの周囲（作業場所）を照らす作業灯が取付けられており、この作業灯の取付位置は種々に工夫されている。
【０００４】
このような従来技術による作業灯を備えた作業装置として、ブームシリンダを取付けるためにブームの下面側に設けられた左，右のブラケット間に作業灯を配置する構成が知られている（例えば、特許文献１参照）。
【０００５】
【特許文献１】
実開平５−１６４７８号公報等
【０００６】
【発明が解決しようとする課題】
しかし、上述した従来技術による作業灯は、ブームの下面から外部に突出して設けられているため、例えばブーム、アームを上方に持上げた状態でバケット、ブレーカ等の作業具を用いて建物の取壊し作業等を行った場合には、取壊される建物からの落下物が作業灯に衝突することにより、作業灯が破損してしまうという問題がある。
【０００７】
これに対し、他の従来技術として、油圧配管が配設されたブームの側面に作業灯を取付け、この作業灯と油圧配管とをブームの側面に取付けた保護カバーによって覆う構成が知られている（例えば、特許文献２参照）。
【０００８】
【特許文献２】
実開平６−７１５５７号公報
【０００９】
しかし、この他の従来技術は、ブームとは別部材からなる保護カバーを、ボルト等を用いてブームの側面に取付けているため、ブームに対する保護カバーの取付強度が充分でなく、落下物等が繰返し保護カバーに衝突することにより、ブームから保護カバーが離脱してしまうという問題がある。また、ブームとは別部材からなる保護カバーを用いることにより部品点数が増加し、ブームの構成が複雑化し、製造コストが嵩んでしまうという問題がある。
【００１０】
さらに、上述の保護カバーは、ブームの側面に配設された油圧配管と作業灯とを一緒に覆うため、ブームの側面から左，右方向に大きく突出した状態で該ブームの長さ方向に延びている。このため、作業装置を操作するオペレータの前方視界が、保護カバーによって遮られてしまうという問題がある。
【００１１】
本発明は上述した従来技術の問題に鑑みなされたもので、作業灯を落下物等から確実に保護することができ、かつ、オペレータの前方視界を大きく確保することができるようにした建設機械の作業装置を提供することを目的としている。
【００１２】
【課題を解決するための手段】
上述した課題を解決するため、本発明は、建設機械の車体に取付けられブームシリンダによって俯仰動するブームと、該ブームの先端側に取付けられアームシリンダによって俯仰動するアームと、該アームの先端側に取付けられ作業具シリンダによって回動する作業具と、該作業具の周囲を照らすためブームに設けられた作業灯とを備えてなる建設機械の作業装置に適用される。
【００１３】
そして、請求項１の発明が採用する構成の特徴は、ブームは、長さ方向の中間に位置するブーム中間部材と、該ブーム中間部材とは別の中空部材からなり当該ブーム中間部材の基端側と先端側とにそれぞれ固着されたブロック体とにより構成し、ブーム中間部材は、鋳鋼または鋳鉄を用いた鋳造手段により、作業灯を収容する作業灯収容部を含めて上面，下面，左側面及び右側面を有する角筒状に一体成形したことにある。
【００１４】
このように構成したことにより、作業灯を、ブーム中間部材に一体成形された作業灯収容部内に収容することができ、落下物等から作業灯を保護することができる。この場合、作業灯収容部をブーム中間部材に一体成形することにより、ブームとは別部材からなる保護カバーを用いて作業灯を覆う必要がなくなるので、ブームの構成を簡素化することができ、該ブームの製造コストを低減することができる。
【００１５】
請求項２の発明は、ブーム中間部材には、作業灯収容部の他にブームシリンダが取付けられるブームシリンダ取付部と、アームシリンダが取付けられるアームシリンダ取付部も鋳造手段によって一体成形する構成としたことにある。
【００１６】
このように構成したことにより、作業灯収容部、ブームシリンダ取付部、アームシリンダ取付部を備えたブーム中間部材を鋳造手段によって一体成形することができる。
【００１７】
請求項３の発明は、作業灯収容部は、ブーム中間部材の左側面、右側面、下面のうち少なくとも一の面に設けられ、ブーム中間部材の内側に窪み作業灯が配置される凹窪部と、該凹窪部内に配置された作業灯を覆う保護カバーとにより構成したことにある。
【００１８】
このように構成したことにより、ブーム中間部材に設けた凹窪部内に作業灯を配置した分、この作業灯を覆う保護カバーがブーム中間部材の表面から外部に大きく突出するのを抑えることができる。これにより、作業装置を操作するオペレータの視界が保護カバーによって遮られるのを抑えることができ、オペレータの前方視界を大きく確保することができる。また、ブームとは別部材からなる保護カバーをボルト等を用いてブームに取付ける場合に比較して、ブームに対する保護カバーの取付強度を高めることができ、該保護カバーによって作業灯を確実に保護することができる。
【００１９】
【発明の実施の形態】
以下、本発明に係る建設機械の作業装置の実施の形態を油圧ショベルに適用した場合を例に挙げ、図１ないし図９を参照しつつ詳細に説明する。まず、図１ないし図５は本発明の第１の実施の形態を示している。
【００２０】
図中、１は油圧ショベルで、該油圧ショベル１の車体は、自走可能なクローラ式の下部走行体２と、該下部走行体２上に旋回可能に搭載された上部旋回体３とにより大略構成されている。
【００２１】
ここで、上部旋回体３は、ベースとなる旋回フレーム４を有し、該旋回フレーム４上には運転席５が設けられ、該運転席５の後側にはカウンタウエイト６が設けられている。また、旋回フレーム４の前端側には、左，右方向に揺動可能となったスイングポスト７が取付けられ、該スイングポスト７には、後述する作業装置１１が俯仰動可能に取付けられている。
【００２２】
１１はスイングポスト７に俯仰動可能に取付けられた作業装置で、該作業装置１１は、後述のブーム１２、アーム１３、バケット１４、ブームシリンダ１５、アームシリンダ１６、バケットシリンダ１７等により構成され、土砂等の掘削作業を行うものである。
【００２３】
１２はスイングポスト７に俯仰動可能に取付けられたブームで、該ブーム１２は、長さ方向の中間部がへ字状に屈曲した中空構造体からなり、基端側が上部旋回体３のスイングポスト７に俯仰動可能に取付けられ、先端側にはアーム１３が俯仰動可能に取付けられるものである。
【００２４】
１３はブーム１２の先端側に俯仰動可能に取付けられたアームで、該アーム１３は、例えば鋼板材に折曲加工、溶接加工を施すことにより断面四角形状の角筒体として形成されている。そして、アーム１３の基端側は、後述するアーム取付部材２２に設けた一対のブラケット２２Ｄ間に回動可能にピン結合されている。また、アーム１３の基端側には、アームシリンダ１６、バケットシリンダ１７を取付けるためのブラケット１３Ａが設けられている。
【００２５】
１４はアーム１３の先端側に回動可能に取付けられた作業具としてのバケットで、該バケット１４は、後述するバケットシリンダ１７とバケットリンク１８とによってアーム１３の先端側で回動し、掘削作業等を行うものである。
【００２６】
１５は上部旋回体３のスイングポスト７とブーム１２との間に設けられたブームシリンダで、該ブームシリンダ１５は、ボトム側がスイングポスト７に回動可能にピン結合され、ロッド側が後述するブーム中間部材２３に設けた一対のブームシリンダ取付板２３Ｆ間に回動可能にピン結合されている。
【００２７】
１６はブーム１２とアーム１３との間に設けられたアームシリンダで、該アームシリンダ１６は、ボトム側が後述するブーム中間部材２３に設けた一対のアームシリンダ取付板２３Ｅ間に回動可能にピン結合され、ロッド側がアーム１３のブラケット１３Ａに回動可能にピン結合されている。
【００２８】
１７はアーム１３とバケット１４との間に設けられたバケットシリンダで、該バケットシリンダ１７は、ボトム側がアーム１３のブラケット１３Ａに回動可能にピン結合され、ロッド側がバケットリンク１８を介してバケット１４に回動可能にピン結合されている。
【００２９】
次に、ブーム１２の構成について説明するに、該ブーム１２は、図２に示すように、長さ方向の中間部がへ字状に屈曲した中空構造体からなり、後述のブームフート部材２１、アーム取付部材２２、ブーム中間部材２３、各ブロック体２９，３０等により構成されている。
【００３０】
２１はブーム１２の基端側に位置しスイングポスト７に回動可能に取付けられるブームフート部材で、該ブームフート部材２１は、スイングポスト７にピン結合される円筒状のボス部２１Ａと、該ボス部２１Ａの外周面から突出した中空な角筒部２１Ｂとにより大略構成され、例えば鋳鋼材料、または溶接可能な鋳鉄（例えば、脱炭鋳鉄）材料を用いた鋳造手段により一体成形されている。また、角筒部２１Ｂの上面には、後述の油圧管路３１を固定するための固定座２１Ｃが一体成形されている。
【００３１】
２２はブーム１２の先端側に位置しアーム１３が取付けられるアーム取付部材で、該アーム取付部材２２は、先端側が略く字状に屈曲した前面板２２Ａと、該前面板２２Ａを左，右両側から挟む左側面板２２Ｂ，右側面板２２Ｃとにより大略構成され、例えば鋳鋼材料、または溶接可能な鋳鉄（例えば、脱炭鋳鉄）材料を用いた鋳造手段により一体成形されている。そして、左，右の側面板２２Ｂ，２２Ｃの前端側は、前面板２２Ａから前方に突出した一対のブラケット２２Ｄ，２２Ｄとなり、これら各ブラケット２２Ｄ間にはアーム１３の基端側がピン結合される構成となっている。また、左，右の側面板２２Ｂ，２２Ｃの上面には、油圧管路３１を固定するための固定座２２Ｅ，２２Ｅが一体成形されている。
【００３２】
２３はブーム１２の長さ方向の中間に位置するブーム中間部材で、該ブーム中間部材２３は、図３に示すように、上面板２３Ａ、下面板２３Ｂ、左側面板２３Ｃ、右側面板２３Ｄによって囲まれ略へ字状に屈曲した断面四角形状の角筒状体からなり、後述のアームシリンダ取付板２３Ｅ、ブームシリンダ取付板２３Ｆ、作業灯収容部２４等を含めて鋳鋼材料、または溶接可能な鋳鉄（例えば、脱炭鋳鉄）材料を用いた鋳造手段により一体成形されている。
【００３３】
ここで、ブーム中間部材２３の屈曲部上側には、上面板２３Ａから上向きに突出した左，右一対のアームシリンダ取付板２３Ｅ，２３Ｅが設けられ、ブーム中間部材２３の屈曲部下側には、下面板２３Ｂから下向きに突出した左，右一対のブームシリンダ取付板２３Ｆ，２３Ｆが設けられ、これら各シリンダ取付板２３Ｅ，２３Ｆも、ブーム中間部材２３に一体成形されている。そして、一対のアームシリンダ取付板２３Ｅ間には、アームシリンダ１６のボトム側がピン結合され、一対のブームシリンダ取付板２３Ｆ間には、ブームシリンダ１５のロッド側がピン結合される構成となっている。また、ブーム中間部材２３の上面板２３Ａには、固定座２３Ｇが一体成形され、左，右の側面板２３Ｃ，２３Ｄには、固定座２３Ｈがそれぞれ一体成形され、これら各固定座２３Ｇ，２３Ｈによって油圧管路３１を固定する構成となっている。
【００３４】
２４はブーム中間部材２３の左側面板２３Ｃに一体成形された作業灯収容部で、該作業灯収容部２４は、後述の凹窪部２５と保護カバー２６とにより構成され、後述の作業灯２７を収容するものである。
【００３５】
２５は作業灯収容部２４を構成する凹窪部で、該凹窪部２５は、図３ないし図５に示すように、ブーム中間部材２３のアームシリンダ取付板２３Ｅとブームシリンダ取付板２３Ｆとの間に位置し、左側面板２３Ｃの表面からブーム中間部材２３の内側に窪んだ有底穴として形成されている。
【００３６】
ここで、凹窪部２５は、左側面板２３Ｃの表面から右側面板２３Ｄ側に向けて傾斜しつつ前，後方向に延びる底面部２５Ａと、該底面部２５Ａの後端部から略直角に屈曲して左側面板２３Ｃに連続する後面部２５Ｂとを有している。そして、凹窪部２５の前部側は左側面板２３Ｃの表面に開口する開口部２５Ｃとなり、凹窪部２５の後部側は保護カバー２６によって施蓋される構成となっている。
【００３７】
２６は凹窪部２５と共に作業灯収容部２４を構成する保護カバーで、該保護カバー２６は、凹窪部２５の後部側の周縁に沿って左側面板２３Ｃの表面から突出する略Ｕ字状の周壁部２６Ａと、該周壁部２６Ａの突出端側に位置し凹窪部２５の後部側を施蓋する平板状の蓋部２６Ｂとにより構成されている。そして、保護カバー２６は、凹窪部２５内に配置された作業灯２７を覆い、当該作業灯２７を落下物等から保護するものである。
【００３８】
ここで、保護カバー２６は、ブーム中間部材２３の左側面板２３Ｃに一体成形されるので、例えばブーム１２とは別部材からなる保護カバーをボルト等を用いてブーム１２に取付ける場合に比較して、ブーム中間部材２３に対する保護カバー２６の取付強度を高めることができる。この場合、保護カバー２６（周壁部２６Ａ）の付け根部分２６Ｃを、左側面板２３Ｃの表面から滑らかに連続する曲面状とすることにより、当該付け根部分２６Ｃに応力が集中するのを抑え、ブーム中間部材２３に対する保護カバー２６の取付強度を一層高めることができる。
【００３９】
２７は凹窪部２５内に配置された作業灯で、該作業灯２７は、図５に示すように、中空な箱状のランプケース２７Ａと、該ランプケース２７Ａ内に設けられた白熱灯、ハロゲンランプ等からなるランプ２７Ｂとにより構成され、ランプケース２７Ａが、凹窪部２５の後面部２５Ｂにブラケット２８を介して取付けられている。これにより、作業灯２７は、ランプケース２７Ａ全体がブーム中間部材２３内に没入し、ランプ２７Ｂの点灯時に光を透過するランプケース２７Ａの前面部２７Ｃのみが凹窪部２５の開口部２５Ｃを通じて外部に臨み、当該前面部２７Ｃ以外の部位は、保護カバー２６によって覆われている。
【００４０】
そして、作業灯２７は、夜間作業時に点灯されることにより、図５中に矢示Ａで示すように、凹窪部２５の開口部２５Ｃを通じて前方へと光を照射し、バケット１４の周囲（作業場所）を照らすものである。
【００４１】
この場合、作業灯２７は、ブーム中間部材２３の左側面板２３Ｃに一体成形した凹窪部２５内に配置され、前面部２７Ｃ以外の部位が保護カバー２６によって覆われるので、落下物等が直接的に作業灯２７に衝突するのを抑えることができる構成となっている。また、作業灯２７を凹窪部２５内に配置した収容した分、図５に示すように、作業灯２７を覆う保護カバー２６の左側面板２３Ｃの表面からの突出寸法Ｂを小さく抑えることができ、作業装置１１を操作するオペレータの視界が保護カバー２６によって遮られるのを抑えることができる構成となっている。
【００４２】
２９はブーム中間部材２３とは別の中空部材からなり該ブーム中間部材２３の基端側に固着されたブームフート側のブロック体で、該ブロック体２９は、例えば鋼板材に折曲加工、溶接加工を施すことにより上面板２９Ａ、下面板２９Ｂ、左，右の側面板２９Ｃ，２９Ｄによって囲まれた断面四角形状の角筒体として形成されている。そして、ブロック体２９は、ブームフート部材２１の角筒部２１Ｂに溶接されると共にブーム中間部材２３の基端側に溶接され、両者間を連結するものである。
【００４３】
３０はブーム中間部材２３とは別の中空部材からなり該ブーム中間部材２３の先端側に固着されたアーム側のブロック体で、該ブロック体３０は、例えば鋼板材に折曲加工、溶接加工を施すことにより上面板３０Ａ、下面板３０Ｂ、左，右の側面板３０Ｃ，３０Ｄによって囲まれた断面四角形状の角筒体として形成されている。そして、ブロック体３０は、ブーム中間部材２３の先端側に溶接されると共にアーム取付部材２２に溶接され、両者間を連結するものである。
【００４４】
３１はブーム１２の上面側に設けられ該ブーム１２に沿って延びる油圧管路で、該油圧管路３１は、上部旋回体３側に設けられた油圧源（図示せず）からの圧油を、アームシリンダ１６、バケットシリンダ１７に給排するものである。そして、油圧管路３１は、ブームフート部材２１の固定座２１Ｃ、ブーム中間部材２３の固定座２３Ｇ，２３Ｈ、アーム取付部材２２の固定座２２Ｅを利用してブーム１２に固定される構成となっている。
【００４５】
本実施の形態による作業装置１１は上述の如き構成を有するもので、この作業装置１１を備えた油圧ショベル１は、例えば下部走行体２によって作業現場まで自走した後、上部旋回体３を旋回させつつ作業装置１１を俯仰動させることにより、掘削作業、建物の取壊し作業等を行う。
【００４６】
そして、夜間作業時には、ブーム１２を構成するブーム中間部材２３の作業灯収容部２４内に収容された作業灯２７を点灯し、該作業灯２７からの光を凹窪部２５の開口部２５Ｃを通じて前方に照射することにより、バケット１４の周囲（作業場所）を照らすことができる。
【００４７】
ここで、本実施の形態では、ブーム中間部材２３の左側面板２３Ｃに、凹窪部２５と保護カバー２６とからなる作業灯収容部２４を一体成形し、凹窪部２５内に作業灯２７を配置することにより、作業灯２７（ランプケース２７Ａ）の前面部２７Ｃのみが凹窪部２５の開口部２５Ｃを通じて外部に臨み、前面部２７Ｃ以外の部位が保護カバー２６によって覆われる構成としている。
【００４８】
これにより、例えばブーム１２、アーム１３を上方に持上げた状態でバケット１４によって建物の取壊し作業等を行うときに、取壊される建物からの落下物がブーム１２に向けて飛来してきたとしても、当該落下物が直接的に作業灯２７に衝突するのを抑えることができる。一方、上部旋回体３を旋回させたときに、作業装置１１の周囲に存在する立木等の障害物にブーム１２が接触したとしても、当該障害物に作業灯２７が直接的に衝突するのを抑えることができ、該作業灯２７を保護することができる。
【００４９】
この場合、保護カバー２６は、ブーム中間部材２３の左側面板２３Ｃに一体成形されるので、例えばブーム１２とは別部材からなる保護カバーをボルト等を用いてブーム１２に取付ける場合に比較して、ブーム中間部材２３に対する保護カバー２６の取付強度を高めることができる。従って、落下物等が繰返し衝突したとしても、保護カバー２６がブーム中間部材２３から離脱することがなく、該保護カバー２６によって作業灯２７を確実に保護することができる。
【００５０】
また、作業灯２７を凹窪部２５内に配置した分、作業灯２７を覆う保護カバー２６の左側面板２３Ｃの表面からの突出寸法Ｂを小さく抑えることができる。これにより、作業装置１１を操作するオペレータの視界が保護カバー２６によって遮られるのを抑え、当該オペレータの前方視界を大きく確保することができるので、作業装置１１の操作性を高めることができる。
【００５１】
しかも、左側面板２３Ｃの表面からの保護カバー２６の突出寸法Ｂを小さくした分、落下物等が保護カバー２６に衝突する確率を低減することができるので、該保護カバー２６の寿命を延ばすことができる。
【００５２】
さらに、作業灯収容部２４をブーム中間部材２３に一体成形することにより、例えばブーム１２とは別部材からなる保護カバーを用いて作業灯２７を覆う場合に比較して、部品点数を削減することができる。また、別部材からなる保護カバーをブームに取付けるためのボルト等を削減することができ、かつ、別部材からなる保護カバーをブームに取付けるためのボルト締め作業、溶接作業等を不要にできる。これにより、ブーム１２の構成を簡素化することができ、該ブーム１２の製造コストを低減することができる。
【００５３】
次に、図６及び図７は本発明の第２の実施の形態を示し、本実施の形態の特徴は、ブーム中間部材の下面に作業灯収容部を設けたことにある。なお、本実施の形態では、上述した第１の実施の形態と同一の構成要素に同一符号を付し、その説明を省略するものとする。
【００５４】
図中、４１は第１の実施の形態によるブーム中間部材２３に代えて本実施の形態に用いたブーム中間部材で、該ブーム中間部材４１は、第１の実施の形態によるものと同様に、ブーム１２の長さ方向の中間に位置しブームシリンダ１５、アームシリンダ１６が取付けられるものである。しかし、ブーム中間部材４１は、その下面側に後述の作業灯収容部４２を設けた点で、第１の実施の形態によるブーム中間部材２３とは異なっている。
【００５５】
ここで、ブーム中間部材４１は、上面板４１Ａ、下面板４１Ｂ、左側面板４１Ｃ、右側面板４１Ｄによって囲まれ略へ字状に屈曲した断面四角形状の角筒状体からなり、後述の作業灯収容部４２を含めて鋳鋼材料、または溶接可能な鋳鉄（脱炭鋳鉄）材料を用いた鋳造手段により一体成形されている。
【００５６】
また、ブーム中間部材４１の屈曲部上側には、上面板４１Ａから上向きに突出した左，右一対のアームシリンダ取付板４１Ｅ，４１Ｅが設けられ、ブーム中間部材４１の屈曲部下側には、下面板４１Ｂから下向きに突出した左，右一対のブームシリンダ取付板４１Ｆ，４１Ｆが設けられ、これら各シリンダ取付板４１Ｅ，４１Ｆも、ブーム中間部材４１に一体成形されている。さらに、上面板４１Ａには、油圧管路３１を固定するための固定座４１Ｇが一体成形され、左，右の側面板４１Ｃ，４１Ｄにも、油圧管路３１用の固定座４１Ｈが一体成形されている（左側のみ図示）。
【００５７】
４２はブーム中間部材４１の下面板４１Ｂに一体成形された作業灯収容部で、該作業灯収容部４２は、後述の凹窪部４３と保護カバー４４とにより構成され、作業灯２７を収容するものである。
【００５８】
４３は作業灯収容部４２を構成する凹窪部で、該凹窪部４３は、ブーム中間部材４１に設けた一対のブームシリンダ取付板４１Ｆ間に位置し、下面板４１Ｂの表面からブーム中間部材４１の内側に窪んだ有底穴として形成されている。
【００５９】
ここで、凹窪部４３は、図７に示すように、下面板４１Ｂの表面から上面板４１Ａ側に向けて傾斜しつつ前，後方向に延びる底面部４３Ａと、該底面部４３Ａの後端部から略直角に屈曲して下面板４１Ｂに連続する後面部４３Ｂとを有している。そして、凹窪部４３の前部側は下面板４１Ｂの表面に開口する開口部４３Ｃとなり、凹窪部４３の後部側は保護カバー４４によって施蓋される構成となっている。
【００６０】
４４は凹窪部４３と共に作業灯収容部４２を構成する保護カバーで、該保護カバー４４は、下面板４１Ｂの表面とほぼ同一平面をなす平板状に形成され、凹窪部４３の底面部４３Ａと対面しつつ該凹窪部４３の後端部位から中間部位まで延びている。
【００６１】
そして、凹窪部４３の後面部４３Ｂには、ブラケット２８を介して作業灯２７が取付けられている。これにより、作業灯２７は、ランプケース２７Ａ全体がブーム中間部材４１内に没入し、ランプケース２７Ａの前面部２７Ｃのみが凹窪部４３の開口部４３Ｃを通じて外部に臨み、当該前面部２７Ｃ以外の部位は、保護カバー４４によって覆われている。
【００６２】
本実施の形態は上述の如き構成を有するもので、夜間作業時に作業灯２７を点灯すると、該作業灯２７からの光が凹窪部４３の開口部４３Ｃを通じて前方に照射されることにより、バケット１４の周囲を照らすことができる。
【００６３】
そして、本実施の形態においても、ブーム１２を構成するブーム中間部材４１の下面板４１Ｂに、作業灯２７が配置される凹窪部４３と、該凹窪部４３内に配置された作業灯２７を覆う保護カバー４４とからなる作業灯収容部４２を一体成形したので、落下物等が直接的に作業灯２７に衝突するのを抑え、該作業灯２７を保護することができる。
【００６４】
しかも、本実施の形態においては、作業灯収容部４２を、ブーム中間部材４１に設けた一対のブームシリンダ取付板４１Ｆ間に配置したので、上部旋回体３を旋回させたときに、作業灯２７が作業装置１１の周囲に存在する立木等の障害物に衝突するのを確実に抑えることができる。
【００６５】
なお、上述した第１の実施の形態では、ブーム中間部材２３の左側面板２３Ｃに、作業灯２７のランプケース２７Ａが没入するだけの深底な凹窪部２５を設けた場合を例示している。しかし、本発明はこれに限るものではなく、例えば図８に示す変形例のように、作業灯２７（ランプケース２７Ａ）の一部が没入するだけの浅底な凹窪部２５′を設け、この凹窪部２５′内に配置した作業灯２７を半球状の保護カバー２６′によって覆う構成としてもよい。
【００６６】
また、上述した第１の実施の形態では、作業灯２７をランプケース２７Ａとランプ２７Ｂとにより構成し、ランプケース２７Ａを凹窪部２５の後面部２５Ｂにブラケット２８を介して取付けた場合を例示している。しかし、本発明はこれに限らず、例えば図９に示す変形例のように、作業灯５１をソケット５１Ａとランプ５１Ｂとにより構成し、凹窪部２５の後面部２５Ｂにソケット５１Ａを取付ける構成としてもよい。
【００６７】
また、上述した第１の実施の形態では、ブーム中間部材２３の左側面板２３Ｃにのみ作業灯収容部２４を設けた場合を例示している。しかし、本発明はこれに限るものではなく、例えばブーム中間部材２３の左，右の側面板２３Ｃ，２３Ｄに作業灯収容部を設け、これら２箇所の作業灯収容部内にそれぞれ作業灯を収容する構成としてもよい。また、ブーム中間部材２３の下面板２３Ｂ、左，右の側面板２３Ｃ，２３Ｄに作業灯収容部を設け、これら３箇所の作業灯収容部内にそれぞれ作業灯を収容する構成としてもよい。
【００６８】
また、上述した第１の実施の形態では、ブーム１２を構成するブームフート部材２１、アーム取付部材２２、ブーム中間部材２３の３部材を、それぞれ鋳造手段により一体成形した場合を例に挙げている。しかし、本発明はこれに限るものではなく、ブーム中間部材２３以外のブームフート部材２１、アーム取付部材２２は溶接構造体として形成してもよい。このことは、第２の実施の形態についても同様である。
【００６９】
さらに、上述した実施の形態では、作業具としてバケット１４を備えた油圧ショベル１を例に挙げている。しかし、本発明はこれに限らず、例えばブレーカ、ドリル、削岩機等の他の作業具を備えた建設機械の作業装置に広く適用することができるものである。
【００７０】
【発明の効果】
以上詳述した通り、請求項１の発明によれば、ブーム中間部材に一体成形した作業灯収容部内に作業灯を収容することができ、該作業灯を落下物等から確実に保護することができる。しかも、作業灯収容部をブーム中間部材に一体成形することにより、例えばブームとは別部材からなる保護カバーを用いて作業灯を覆う場合に比較して部品点数を削減することができ、別部材からなる保護カバーをブームに取付けるためのボルト等を削減することができ、かつ、別部材からなる保護カバーをブームに取付けるためのボルト締め作業、溶接作業等を不要にできる。これにより、ブームの構成を簡素化することができ、該ブームの製造コストを低減することができる。
【００７１】
また、請求項２の発明によれば、ブーム中間部材には、作業灯収容部の他にブームシリンダ取付部と、アームシリンダ取付部も鋳造手段によって一体成形する構成としたので、作業灯収容部、ブームシリンダ取付部、アームシリンダ取付部を備えたブーム中間部材を鋳造手段によって一体成形することができる。
【００７２】
さらに、請求項３の発明によれば、作業灯収容部を、ブーム中間部材の左側面、右側面、下面のうち少なくとも一の面に設けられ、ブーム中間部材の内側に窪み作業灯が配置される凹窪部と、該凹窪部内に配置された作業灯を覆う保護カバーとにより構成している。これにより、ブーム中間部材に設けた凹窪部内に作業灯を配置した分、この作業灯を覆う保護カバーがブーム中間部材の表面から外部に大きく突出するのを抑えることができる。これにより、作業装置を操作するオペレータの視界が保護カバーによって遮られるのを抑えることができ、オペレータの前方視界を大きく確保することができる。
【００７３】
また、ブームとは別部材からなる保護カバーをボルト等を用いてブームに取付ける場合に比較して、ブームに対する保護カバーの取付強度を高めることができ、該保護カバーによって作業灯を確実に保護することができる。
【図面の簡単な説明】
【図１】第１の実施の形態による作業装置を備えた油圧ショベルの正面図である。
【図２】作業装置のブームを単体で示す斜視図である。
【図３】ブーム中間部材を凹窪部、保護カバー、作業灯と共に示す斜視図である。
【図４】図１中のブーム中間部材、凹窪部、保護カバー、作業灯等を拡大して示す拡大正面図である。
【図５】凹窪部、保護カバー、作業灯等を図４中の矢示Ｖ−Ｖ方向から拡大してみた要部拡大断面図である。
【図６】第２の実施の形態によるブーム中間部材を、凹窪部、保護カバー、作業灯と共に下面側からみた斜視図である。
【図７】第２の実施の形態によるブーム中間部材、凹窪部、保護カバー、作業灯等を示す図４と同様な一部破断の拡大正面図である。
【図８】第１の実施の形態による凹窪部、保護カバーの変形例を示す図５と同様の要部拡大断面図である。
【図９】作業灯の変形例を示す図５と同様の要部拡大断面図である。
【符号の説明】
３　上部旋回体（車体）
１１　作業装置
１２　ブーム
１３　アーム
１４　バケット（作業具）
１５　ブームシリンダ
１６　アームシリンダ
１７　バケットシリンダ
２３，４１　ブーム中間部材
２３Ａ，４１Ａ　上面板（上面）
２３Ｂ，４１Ｂ　下面板（下面）
２３Ｃ，４１Ｃ　左側面板（左側面）
２３Ｄ，４１Ｄ　右側面板（右側面）
２３Ｅ，４１Ｅ　アームシリンダ取付板（シリンダ取付部）
２３Ｆ，４１Ｆ　ブームシリンダ取付板（シリンダ取付部）
２４，４２　作業灯収容部
２５，４３　凹窪部
２６，４４　保護カバー
２７，５１　作業灯
【図１】
2004143853.tif 000003
【図２】
2004143853.tif 000004
【図３】
2004143853.tif 000005
【図４】
2004143853.tif 000006
【図５】
2004143853.tif 000007
【図６】
2004143853.tif 000008
【図７】
2004143853.tif 000009
【図８】
2004143853.tif 000010
【図９】
2004143853.tif 000011